【手続補正書】
【提出日】平成21年7月6日(2009.7.6)
【手続補正１】
【補正対象書類名】明細書
【補正対象項目名】００１１
【補正方法】変更
【補正の内容】
【００１１】
条件（２）
図１８の（ｃ）に示したように、第一の横方向巻線部分ＰＹＡの前記漸進的乗上げ横方向巻線部分ＰＹＭのうち前記斜め渡り巻線部ＰＲＦへの乗上げを開始する乗上げ開始領域から前記斜め渡り巻線部分ＰＲＦに少なくとも部分的に重なった漸進的乗上げ領域上を斜めに横切るように延在し延在端において下側の層Ｌａの斜め渡り巻線部分ＰＲ上に降りる乗上げ斜め渡り巻線部分ないし漸進的乗上げ斜め渡り巻線部分ＰＲＭと、該乗上げ斜め渡り巻線部分ＰＲＭの延在端の転向部ＰＴＣにおいて転向して前記第一の横方向巻線部分ＰＹＡの第二列側の側縁ＰＥ２に沿って前記横方向ＰＦに延在する第二の横方向巻線部分ＰＹＢとを有する第二列の巻線部ＰＷ２を備えること。
【手続補正２】
【補正対象書類名】明細書
【補正対象項目名】００１４
【補正方法】変更
【補正の内容】
【００１４】
このタイプの多層整列巻コイル２０１では、図１８の（ｃ）からわかるように、第二層ＰＬｂの第一列の斜め渡り巻線部ＰＲＭと第一層ＰＬａの最終列の横断巻線部ＰＹＡが重なる辺ＰＳ４での隙間ＰＧ３が第一のタイプの多層整列巻コイル１０１の隙間ＰＧ１と比較して小さいので、その分だけ（小さい間隙ＰＧ２の体積を考慮しても）、多層整列巻コイル２０１の占積率が高められ得る。
【手続補正３】
【補正対象書類名】明細書
【補正対象項目名】００１５
【補正方法】変更
【補正の内容】
【００１５】
しかしながら、本発明者は、このタイプの多層整列巻コイル２０１では、転向部ＰＴＣの手前側に生じる突出部ＰＨの形成を避け得ないことを見出し、多層整列巻コイル２０１の巻線ＰＤ１の状態を詳細に検討した結果次のことが判明した。
【手続補正４】
【補正対象書類名】明細書
【補正対象項目名】００２２
【補正方法】変更
【補正の内容】
【００２２】
各層の最後の列の巻線部分Ｌ（ｉ；４；ｋ）は、該層の他の列の巻線部分Ｌ（ｉ；ｍ；ｋ）（但し、ｍ＝２，３）とは異なる形態を採り、その上の層の最初の列の巻線部分Ｌ（ｉ＋１；１；ｋ）も、該上の層の他の列の巻線部分Ｌ（ｉ＋１；ｍ；ｋ）（但し、ｍ＝２，３）とは異なる様相を呈する。
【手続補正５】
【補正対象書類名】明細書
【補正対象項目名】００２５
【補正方法】変更
【補正の内容】
【００２５】
この多層整列巻コイル３０１においても、乗上げ斜め渡り巻線部分ＰＲＭ１のうち漸進的乗上げ横方向巻線部分ＰＹＭ１に対する斜め方向横切りを完了する手前の乗越え領域部分ＰＸ２は、漸進的乗上げが進行して実際上第三層ＰＬ３に位置する。すなわち、乗上げ斜め渡り巻線部ＰＲＭ１のうち、斜め渡り巻線部ＰＲに乗上げている漸進的乗上げ横方向巻線部ＰＹＭ上に重なる乗越え領域ＰＸ２は、第二層よりもかなり高い位置に達する。一方、乗上げ斜め渡り巻線部分ＰＲＭ１のうち下側の層ＰＬ１に降りた部位は、丁度第二層ＰＬ２に位置する。その結果、乗上げ斜め渡り巻線部分ＰＲＭ１と第二列の横方向巻線部分ＰＹとの転向部ＰＴＣ２の手前側に生じた乗越え領域ＰＸ２には、横断面ＰＶでみて矩形ＰＳの外向きＰＪに突出した突出部ＰＨ２が形成される。すなわち、図２１の（ａ）の側面図に示したように、転向部ＰＴＣ２の手前側の領域ＰＸ２が突出部ＰＨ２として矩形ＰＳの外向きＰＪに多少突出してしまうのを避け難い。なお、図２１の（ｂ）は図２０の（ｂ）と同様な斜視図である。
【手続補正６】
【補正対象書類名】明細書
【補正対象項目名】００３０
【補正方法】変更
【補正の内容】
【００３０】
この第四層の突出部ＰＨ４のある乗越え領域ＰＸ４は、図２１の（ａ）等にも示した第二層の突出部ＰＨ２のある乗越え領域ＰＸ２に実際上丁度重なる。その結果、当該重なりのある乗越え領域部分ＰＸ４が、矩形ＰＳの外向きＰＪに更に大きく突出する。
【手続補正７】
【補正対象書類名】明細書
【補正対象項目名】００５２
【補正方法】変更
【補正の内容】
【００５２】
多層整列巻コイルとしての多層整列巻角形コイルないし角筒状多層整列巻コイル１は、例えば、図８の（ｃ）から（ｆ）（（ｃ）〜（ｆ）の相互の差異については後述する）や図１２の（ａ）及び（ｂ）に示したような形態を有する。この角筒状多層整列巻コイル１は、幅広線としての平角線Ｄを、多層多列に整列巻きしてなる。図１２の（ａ）及び（ｂ）に示した多層整列巻コイル１は、平角線Ｄを、約１５列６層に巻いてなるもので、約９０ターンの巻数を有する（本発明の多層整列巻コイルでは、後で詳しく例示するように、厳密には、層により列数が異なる）。一方、図８の（ｃ）から（ｆ）の多層整列巻コイル１は、巻線Ｄを１０層に積層してなり、列数は、図では示されていない。
【手続補正８】
【補正対象書類名】明細書
【補正対象項目名】００５６
【補正方法】変更
【補正の内容】
【００５６】
また、上述のように、平角線Ｄの側縁Ｄｃが多少なりとも蛇行していたり、幅Ｄａ自体が多少変動していたり、側縁部Ｄｃの近傍が長円形の弧状のように湾曲していることから、厳密には、多層整列巻コイル１を形成する隣接列の巻線部分の側縁は相互に密接しているわけではなく、部分的に当接していたり、間に狭い間隙がある状態で対向した状態で延びている。すなわち、以下では、説明の簡明化のために、隣接巻線部分が同一の層内で平行に延在する場合には、相互に密接しているとして、説明するけれども、隣接する巻線部分の間には、多少の間隙が存在し得る。この間隙の大きさは、典型的には、巻線Ｄの幅Ｄａの数％以下である。
【手続補正９】
【補正対象書類名】明細書
【補正対象項目名】００７３
【補正方法】変更
【補正の内容】
【００７３】
次に、図１の（ｄ）及びそれを拡大した図４の（ｂ）に示したように、一列目の角部Ｋ４を回った後、辺Ｓ１すなわち側面Ｐ１に戻って、漸進的乗上げ横方向巻線部分ＹＭ（Ｌ（１，２；４；１））の外表面上を斜めに横切るように延在し一層目の三番目の転向部Ｔの付近まで達し一層目の巻線部Ｌ１上に降りる乗上げ斜め渡り巻線部ないし漸進的乗上げ斜め渡り巻線部ＲＭ（Ｌ（２；１，２；１，５））、及び該乗上げ斜め渡り巻線部ＲＭの延在端において転向されて二層目の一列目の横方向巻線部分Ｙ（Ｌ（２；１；１，６））の側縁に沿って一層目の横方向巻線部Ｙ上を横方向Ｆに延びる二層目の二列目の横方向巻線部分Ｙ（Ｌ（２；２；１，６））とが、形成される。
【手続補正１０】
【補正対象書類名】明細書
【補正対象項目名】００７６
【補正方法】変更
【補正の内容】
【００７６】
図７の（ａ）の一部拡大平面説明図に示したように、この平角線Ｄの多層整列巻コイル１において、乗上げ斜め渡り巻線部ＲＭ（Ｌ（２；１，２；１，５））は、漸進的乗上げ横方向巻線部分ＹＭ（Ｌ（１，２；４；１））のうち斜め渡り巻線部Ｒ（Ｌ（１；３，４；１，５））への乗上げを開始する乗上げ開始領域ＹＡ２から斜め渡り巻線部Ｒ（Ｌ（１；３，４；１，５））に部分的に重なった漸進的乗上げ領域ＹＢ２の上を斜めに横切るように延在する。乗上げ斜め渡り巻線部ＲＭ（Ｌ（２；１，２；１，５））のうち、漸進的乗上げ横方向巻線部分ＹＭ（Ｌ（１，２；４；１））の斜め方向横切りを完了する部位ＸＣ２は、漸進的乗上げが進行して実際上第三層Ｌ３に位置する。すなわち、乗上げ斜め渡り巻線部ＲＭ（Ｌ（２；１，２；１，５））のうち、斜め渡り巻線部Ｒ（Ｌ（１；３，４；１，５））の上に乗上げている漸進的乗上げ横方向巻線部分ＹＭ（Ｌ（１，２；４；１））上に重なる領域すなわち乗越え領域部分Ｘ２（図７の（ａ）において黒丸「●」を付した領域）は、第二層Ｌ２よりもかなり高い位置に達する。一方、乗上げ斜め渡り巻線部ＲＭ（Ｌ（２；１，２；１，５））のうち第一層（下側の層）Ｌ１に降りた部位は、丁度第二層（上側の層）Ｌ２と一致する高さ位置にある。その結果、図４の（ａ）に加えて図４の（ｂ）に示したように、乗上げ斜め渡り巻線部ＲＭ（Ｌ（２；１，２；１，５））と第二列の横方向巻線部Ｙ（Ｌ（２；２；１，６））との転向部ＴＣ２の手前側の乗越え領域Ｘ２には、横断面Ｖと平行な面でみて矩形Ｓの外向きＪに突出した突出部ないし突起部Ｈ２が不可避的に生じる。
【手続補正１１】
【補正対象書類名】明細書
【補正対象項目名】００７７
【補正方法】変更
【補正の内容】
【００７７】
なお、ここで、注意されるべきは、このような突出部ないし突起部Ｈ２は、平角線Ｄのようにほぼ一定の厚さＤｂの部分を幅方向の大半の領域に備える幅広線Ｄに特有のものであることである。すなわち、横断面が円形の丸線からなる巻線を巻回してなる多層整列巻コイルにおいて、レインボーラインと呼ばれる突出部の並びが生じることは、知られているけれども、このレインボーラインは、丸線が交差する際、その最大径部分の交差箇所に不可避的に生じるものであり、ここで生じる突出部Ｈとは、その原因ないし特性が全く異なる。すなわち、以下に、詳述するように、巻線が平角線のような幅広線Ｄの多層整列巻コイル１では、この突出Ｈに伴う多層整列巻コイル１の形状の乱れを分散させることが可能になるけれども、丸線の多層整列巻コイルでは、整列巻突出部の発生原因が異なるが故に、交差部以外の領域には突出部ないし突起部Ｈの分散は行われ得ない。この差異が生じる前提として、幅広線Ｄの多層整列巻コイル１では、突出部Ｈ以外の部分では、通常は、下側の整列巻層を構成する巻線により形成される平面上に上側の整列巻層を構成する巻線が所望の向きに延びるのに対して、丸線の多層整列巻コイルでは、下側の整列巻層を構成する巻線のうち二つの隣接する巻線部分の間の窪んだ領域に上側の整列巻層を構成する巻線が下側の層の巻線と平行に延びる点で異なり、丸線の交差による突出量は丸線の半径の（２−３１／２）倍程度と小さい。
【手続補正１２】
【補正対象書類名】明細書
【補正対象項目名】００７８
【補正方法】変更
【補正の内容】
【００７８】
次に、図２の（ａ）に示したように、５ターン目の横方向巻線部Ｙ，Ｙ，Ｙ及び乗上げ斜め渡り巻線部ＲＭ（Ｌ（２；１，２；１，５））並びに６ターン目の最初の横方向巻線部分Ｙ（Ｌ（２；２；１，６））の側縁に倣うように、６ターン目の横方向巻線部Ｙ，Ｙ，Ｙ及び斜め渡り巻線部Ｒ（Ｌ（２；２，３；１，５））並びに７ターン目の最初の横方向巻線部分Ｙ（Ｌ（２；３；１，６））を形成し、更に、これらの側縁に倣うように、７ターン目の横方向巻線部Ｙ，Ｙ，Ｙ及び斜め渡り巻線部Ｒ（Ｌ（２；３，４；１；５））並びに８ターン目の最初の横方向巻線部分Ｙ（Ｌ（２；４；１，６））を形成する。巻線Ｄによるこれらの巻線部Ｙ，Ｒの形成プロセスは、巻線Ｄにより形成される巻線部Ｙ，Ｒの層が1層目から二層目に変り且つ巻線部Ｙ，Ｒが巻芯１０に対して端面１１側から端面１２側に向かってＺ１方向に形成される状態から巻芯１０に対して端面１２側から端面１１側に向かってＺ２方向に形成される状態に変った点を除き、図１の（ｂ）に示した巻線部Ｙ，Ｒの形成プロセスと実質的に同一である。
【手続補正１３】
【補正対象書類名】明細書
【補正対象項目名】００８４
【補正方法】変更
【補正の内容】
【００８４】
角部Ｋ３に達した平角線Ｄは、図５の（ａ）に示したように、側面Ｐ４において同様な準斜め渡り巻線部Ｒａ（Ｌ（３；１＋α，１＋２α；４，５））を形成した後、二列目の少し手前で角部Ｋ４に至る。平角線Ｄは、次に、図５の（ｂ）に示したように、側面Ｐ１において、９ターン目に入って準斜め渡り巻線部分Ｒａ（Ｌ（３；１＋２α，２；１，５））を形成した後、横方向巻線部分Ｙ（Ｌ（３；２；１，６））の形態を採る。なお、この準斜め渡り巻線部Ｒａは漸進的乗上げ横方向巻線部分ＹＭ（Ｌ（２，３；４；１））が実際上第二層に留まる程度の長さの範囲で該漸進的乗上げ横方向巻線部分ＹＭ（Ｌ（２，３；４；１））上の斜め方向横断（斜め渡り）を完了し、僅かに転向されて横方向巻線部分Ｙ（Ｌ（３；２；１，６））につながる。なお、横方向巻線部分Ｙ（Ｌ（３；２；１，６））は、該漸進的乗上げ横方向巻線部分ＹＭ（Ｌ（２，３；４；１））及び一列目の横方向巻線部分Ｙ（Ｌ（３；１；１，６））の側縁に沿って、横方向Ｆに延びる。角部Ｋ１に達した平角線Ｄは、図２の（ｄ）からわかるように、９．２５ターン目の側面Ｐ２においても横方向巻線部Ｙ（Ｌ（３；２；２，６））の形態を採る。ここで生じる転向部Ｔ３は、転向部Ｔ１の場合と同様に、側面Ｐ１に対して平行な平面内で延在する。
【手続補正１４】
【補正対象書類名】明細書
【補正対象項目名】００８７
【補正方法】変更
【補正の内容】
【００８７】
ここで、αの値は、突出部Ｈが形成される領域を、断面が矩形Ｓの場合に、側面Ｐ１から反対側の側面Ｐ３に移行させるように選択される。従って、矩形Ｓであっても、突出部を移行させる側面の相対位置が異なる場合には、αが採るべき値は異なる。また、横断面が矩形Ｓ以外でαが同様に定義可能である場合にも、αが採るべき値は異なる。
【手続補正１５】
【補正対象書類名】明細書
【補正対象項目名】００９３
【補正方法】変更
【補正の内容】
【００９３】
この１１．５ターン目〜１２．２５ターン目の巻線部は、第三層から第四層に移った後第四層の一列目に形成される点を除き、図１の（ｄ）に示した４ターン目〜４．７５ターン目の巻線部（第一層から第二層に移った後で第二層の一列目に形成）と実質的に同じ形態を採る。
【手続補正１６】
【補正対象書類名】明細書
【補正対象項目名】００９５
【補正方法】変更
【補正の内容】
【００９５】
すなわち、図３の（ｃ）及び（ｄ）及びそれらを拡大した図６の（ｂ）及び（ａ）に示したように、一列目の角部Ｋ２を回った後、辺Ｓ３すなわち側面Ｐ３に戻って、漸進的乗上げ横方向巻線部分ＹＭ（Ｌ（３，４；４；３，６））の外表面上を斜めに横切るように延在し三層目Ｌ３の巻線部上に降りる乗上げ斜め渡り巻線部ＲＭ（Ｌ（４；１，２；３，５））、及び該乗上げ斜め渡り巻線部ＲＭの延在端において転向されて四層目の一列目の横方向巻線部分Ｙ（Ｌ（４；１；３，６））の側縁に沿って横方向Ｆに延びる四層目の二列目の横方向巻線部分Ｙ（Ｌ（４；２；３，６））が形成される。
【手続補正１７】
【補正対象書類名】明細書
【補正対象項目名】００９７
【補正方法】変更
【補正の内容】
【００９７】
前述の場合と同様に、図７の（ｂ）の一部拡大平面説明図に示したように、この平角線Ｄの多層整列巻コイル１において、乗上げ斜め渡り巻線部ＲＭ（Ｌ（４；１，２；３，５））は、漸進的乗上げ横方向巻線部分ＹＭ（Ｌ（３，４；４；３，６））のうち準斜め渡り巻線部Ｒａ（Ｌ（３；３，３＋α；３，５））への乗上げを開始する乗上げ開始領域ＹＡ４から準斜め渡り巻線部Ｒａ（Ｌ（３；３，３＋α；３，５））に部分的に重なった漸進的乗上げ領域ＹＢ４の上を斜めに横切るように延在する。乗上げ斜め渡り巻線部ＲＭ（Ｌ（４；１，２；３，５））のうち、漸進的乗上げ横方向巻線部分ＹＭ（Ｌ（３，４；４；３，６））の斜め方向横切りを完了する部位ＸＣ４は、実際上第五層Ｌ５に位置する。乗上げ斜め渡り巻線部ＲＭ（Ｌ（４；１，２；３，５））のうち、準斜め渡り巻線部Ｒａ（Ｌ（３；３，３＋α；３，５））上に位置する漸進的乗上げ横方向巻線部分ＹＭ（Ｌ（３，４；４；３，６））に重なる領域（図７の（ｂ）の黒丸「●」の領域）Ｘ４は、第四層Ｌ４よりもかなり高い位置に達する。一方、乗上げ斜め渡り巻線部ＲＭ（Ｌ（４；１，２；３，５））のうち第三層（下側の層）Ｌ３に降りた部位は、丁度第四層（上側の層）Ｌ４にある。その結果、図６の（ａ）及び（ｂ）に示したように、乗上げ斜め渡り巻線部ＲＭ（Ｌ（４；１，２；３，５））と第二列の横方向巻線部Ｙ（Ｌ（４；２；１，６））との転向部ＴＣ４の手前側の乗越え領域Ｘ４には、横断面Ｖと平行な面でみて矩形Ｓの外向きＪに突出した突出部Ｈ４が不可避的に生じることも、突出部Ｈ２の場合と同様である。
【手続補正１８】
【補正対象書類名】明細書
【補正対象項目名】０１０３
【補正方法】変更
【補正の内容】
【０１０３】
次に、五層以上の積層がある場合について、巻線の積層状態を模式的に表した図８の（ｃ）に基づいて説明する。図８の（ｃ）の多層整列巻コイル１では、二層目が突出部Ｈ２のある乗越え領域ないし最高乗上げ部位Ｘ２を側面Ｐ１において転向部ＴＣ２の近傍に備えるように一層目及び二層目が形成され、四層目が突出部Ｈ４のある乗越え領域である最高乗上げ部位Ｘ４を側面Ｐ１とは反対側の側面Ｐ３において転向部ＴＣ４の手前側に備えるように三層目及び四層目が形成されている。従って、多層整列巻コイル１において、五層目以上の層を同様に形成する場合、多層整列巻コイル１では、図８の（ｃ）に示したように、六層目が突出部Ｈ６のある乗越え領域を側面ＰＣ３とは反対側の側面Ｐ１に備えるように、五層目及び六層目が形成され、それ以後も、同様に、七層目及び八層目の二層、九層目及び十層目の二層が形成されることが所望の層数だけ繰返されればよい。以上において、三層目及び四層目の二層目に対する相対的な位置関係と、五層目及び六層目の四層目に対する相対的な位置関係は同じである。それ以降も同様である。
【手続補正１９】
【補正対象書類名】明細書
【補正対象項目名】０１０７
【補正方法】変更
【補正の内容】
【０１０７】
なお、同一側面の同様な領域に突出部Ｈができるように、多数の層を重ねることは排除されるべきであるけれども、同一側面（例えば、側面Ｐ１）の同様な領域に、突出部Ｈが２〜３回程度（例えば、第二層、第四層、第六層）続けて形成されることを絶対に避けるべきであるというわけではない。すなわち、前述のように、占積率の観点からすると突出部Ｈが同一の側面に重なるように巻回する方が好ましい。従って、多層整列巻コイル１の外表面の突出が比較的大きくてもよい場合には、整列巻が難しくなる程度に突出部Ｈの積層による過大な突出部が形成されない限り、同一側面に突出部Ｈを形成することを繰り返し、整列巻が困難になると、突出部Ｈを形成する側面を他の側面に変更することによって、突出部Ｈの形成領域を分散させるようにしてもよい。なお、突出部Ｈが重なる場合であっても、通常、ある層の突出部Ｈの上に形成される突出部Ｈの頂点は、その下の突出部Ｈの頂点から多少はずれるので、ターン数の最大化を図る場合には、突出部Ｈを２〜３回程度重ねることはあり得る選択である。
【手続補正２０】
【補正対象書類名】明細書
【補正対象項目名】０１１４
【補正方法】変更
【補正の内容】
【０１１４】
なお、以上のような中心角領域ないし角度領域φの概念は、図１１の（ｃ）に示したように、直線状部分と曲線状部分とを備えた長円形状の横断面の多層整列巻コイルにも当てはまる。ここで、直線状部分が十分に長い場合、該直線状部分が図１１の（ｃ）に示したように複数の中心角領域ないし角度領域φ１，φ２等からなるとみなして、突出部Ｈ２，Ｈ４等を形成してもよい。図８の（ｃ）〜（ｆ）に示した横断面が長方形の多層整列巻コイルの長辺でも同様である。即ち、異なる層の突出部Ｈを、異なる側面に形成する代わりに、同一側面の異なる中心角領域ないし角度領域φに分散させて形成してもよい。
【手続補正２１】
【補正対象書類名】明細書
【補正対象項目名】０１１５
【補正方法】変更
【補正の内容】
【０１１５】
以上においては、二層を一組として、同じ側面（同じ中心角領域）に突出部Ｈを形成させると説明したけれども、多層整列巻コイル１において、二層毎に一組になっていなくてもよい。すなわち、多層整列巻コイル１では、二層目の突出部Ｈ２と三層目の突出部Ｈ３とが同一の側面Ｐ１に位置するけれども、三層目の突出部Ｈ３が二層目の突出部とは異なる側面Ｐ２，Ｐ３又はＰ４に位置していてもよい。他の層（四層目と五層目等）についても同様である。すなわち、例えば、突出部Ｈ２と突出部Ｈ３とは元々多層整列巻コイル１の軸線Ｃの延在方向の異なる箇所に位置するので、突出や崩れに関しては、相互の影響は少ないから、独立に配置され得る。但し、突出部Ｈ３を突出部Ｈ２とは異なる側面又は中心角領域に配置するためには、前述の準斜め渡り巻線部ＹＭを敢えて形成する必要があり、該準斜め渡り巻線部ＹＭの形成に伴い巻線のターン数を１ターンの数分の１は低下させる必要があるから、これに伴うターン数や占積率の低下が不可避になる。従って、特に必要がない限り、通常は、１層毎に突出部Ｈを形成する側面や中心角領域を変えるよりも、２層一組は同一の側面や中心角領域に突出部を形成することが好ましい。
【手続補正２２】
【補正対象書類名】明細書
【補正対象項目名】０１２２
【補正方法】変更
【補正の内容】
【０１２２】
この位置制御機構５０において、例えば、横断面が長方形の多層整列巻コイル１のうち側面５７側の巻線部分６４に突出部Ｈの累積に起因する過大な突出部があると、可動部材５１の磁石５８が多層整列巻コイル１の巻線部６４の外表面５７に当たったり擦れたりするか又は可動部材５１の磁石５９が多層整列巻コイル１の巻線部６４の内表面６５に当たったり擦れたりする虞れがある。また、この位置制御機構５０において、例えば、横断面が長方形の多層整列巻コイル１のうち側面５３側の巻線部分６６に突出部Ｈの累積に起因する過大な突出部があると、多層整列巻コイル１が支持体５４の表面５５に対して傾いて、可動部材５１のヨーク板６０の脚部６２又は磁石５９が多層整列巻コイル１の角柱状空洞６３の内面６７，６５に当たったり擦れたりする虞れがある。更に、上記のような機械的な当接や接触がなくても、多層整列巻コイル１が可動部材５１に対して及ぼす力の製品による個体差が大きくなり、製品の信頼性が低下する虞れがある。
【手続補正２３】
【補正対象書類名】明細書
【補正対象項目名】０１３９
【補正方法】変更
【補正の内容】
【０１３９】
【図１】本発明の好ましい一実施例の多層整列巻コイルとしての平角線多層整列巻角形コイルを形成するプロセスを示したもので、（ａ）〜（ｄ）は最初の数段階を示した斜視説明図。
【図２】本発明の好ましい一実施例の多層整列巻コイルとしての平角線多層整列巻角形コイルを形成するプロセスを示したもので、（ａ）〜（ｄ）は図１の（ａ）〜（ｄ）の段階に続く数段階を示した斜視説明図。
【図３】本発明の好ましい一実施例の多層整列巻コイルとしての平角線多層整列巻角形コイルを形成するプロセスを示したもので、（ａ）〜（ｄ）は図２の（ａ）〜（ｄ）の段階に続く数段階を示した斜視説明図。
【図４】図１の（ｄ）の巻回状態にあるコイルを拡大して示したもので、（ａ）は（ｂ）の側面説明図、（ｂ）は図１の（ｄ）を拡大して示した斜視説明図。
【図５】本発明の好ましい一実施例の多層整列巻コイルとしての平角線多層整列巻角形コイルを形成するプロセスのうち図２のプロセスの一部をより詳しく示したもので、（ａ）及び（ｂ）は図２の（ｃ）と図２の（ｄ）との間の状態を示した斜視説明図。
【図６】図３の（ｃ）の巻回状態にあるコイルを拡大して示したもので、（ａ）は（ｂ）の側面説明図（図３の（ｄ）の拡大図）、（ｂ）は図３の（ｃ）を拡大して示した斜視説明図。
【図７】本発明の好ましい一実施例の多層整列巻コイルにおいて突出部が形成される状況を示したもので、（ａ）は突出部Ｈ２が形成される状況を示した平面説明図（各巻線の両側の細幅部分は、図１０の（ｃ）や（ｅ）のような横断面で見て丸みのある側縁であり厚さが徐々に変化している部分）、（ｂ）は突出部Ｈ４が形成される状況を示した平面説明図（（ａ）で示した厚さの徐々に変化する側縁の図示は略）。
【図８】本発明の好ましい実施例の多層整列巻コイルのいくつかを示したもので、（ａ）は四層まで巻いた状態で突出部が同じ側面で且つズレた位置に形成された状態を示した側面説明図、（ｂ）は（ａ）の突出部を模式的に示した模式的側面説明図、（ｃ）〜（ｆ）は十層まで巻いた状態における突出部の位置を（ｂ）と同様に模式的に示したものであり、（ｃ）は突出部が二つの角度領域に分散した多層整列巻角形コイルの側面説明図、（ｄ）は突出部が二つの角度領域に分散し且つ一方の突出部短辺に位置する多層整列巻角形コイルの側面説明図、（ｅ）は突出部が四つの角度領域に分散した多層整列巻角形コイルの側面説明図、（ｆ）は突出部が二つの角度領域に分散し且つ一つの角度領域では隣接する二つの層の突出部が同じ角度領域に形成された多層整列巻角形コイルの側面説明図。
【図９】本発明の好ましい実施例の多層整列巻コイルの他のいくつかを図８の（ｂ）〜（ｆ）と同様に模式的に示したもので、（ａ）〜（ｆ）は各種の変形例の模式的側面説明図。
【図１０】幅広線としての平角線を示したもので、（ａ）及び（ｂ）は理想的な平角線の断面説明図及び平面説明図、（ｃ）及び（ｄ）は横断面が長円形状で側縁が直線から多少ズレた平角線の側面説明図及び平面説明図、（ｅ）及び（ｆ）は横断面が歪んだ長円形状で側縁が蛇行した平角線の側面説明図及び平面説明図。
【図１１】本発明の好ましい実施例の多層整列巻コイルのいくつかを模式的に示したもので、（ａ）は横断面が円形の多層整列巻コイルの模式的説明図、（ｂ）は横断面が三角形の多層整列巻コイルの模式的説明図、（ｃ）は横断面が長円形の多層整列巻コイルの模式的説明図。
【図１２】本発明の一実施例の多層整列巻コイルを備えた位置制御機構を示したもので、（ａ）は（ｂ）のＸＩＩＡ−ＸＩＩＡ線断面説明図、（ｂ）は（ａ）の側面説明図。
【図１３】本発明の一実施例の多層整列巻コイルを備えた別の位置制御機構を示したもので、（ａ）は（ｂ）のＸＩＩＩＡ−ＸＩＩＩＡ線断面説明図、（ｂ）は（ａ）の正面説明図、（ｃ）は（ｂ）のＸＩＩＩＣ−ＸＩＩＩＣ線断面説明図。
【図１４】本発明の一実施例の多層整列巻コイルを製造するための多層整列巻コイル製造装置の模式的正面説明図。
【図１５】図１４の装置の模式的平面説明図。
【図１６】図１４の装置の巻機の巻芯部分を示したもので、（ａ）は巻線を取付ける際の状態を示した側面説明図、（ｂ）は（ａ）のＸＶＩＢ−ＸＶＩＢ線矢示説明図、（ｃ）は巻付の際の状態を示した側面説明図。
【図１７】従来の平角線多層整列巻角形コイルを形成するプロセスを示したもので、（ａ）〜（ｃ）は三つの段階を示した斜視説明図。
【図１８】従来の別の平角線多層整列巻角形コイルを形成するプロセスを示したもので、（ａ）〜（ｃ）は三つの段階を示した斜視説明図。
【図１９】従来の更に別の平角線多層整列巻角形コイルを形成するプロセスを示したもので、（ａ）〜（ｈ）は八つの段階を示した斜視説明図。
【図２０】図１９の一部を拡大して示したもので、（ａ）は図１９の（ｃ）の拡大図、（ｂ）は（ｄ）の拡大図。
【図２１】図１９の（ｄ）の状態を説明するためのもので、（ａ）は（ｂ）の側面説明図、（ｂ）は異なる角度からみた（ａ）と対比するための斜視説明図で図２０の（ｂ）と同じ図。
【図２２】図１９の一部を拡大して示したもので、（ａ）は図１９の（ｇ）の拡大図、（ｂ）は（ｈ）の拡大図。
【図２３】図１９の（ｈ）の状態を説明するためのもので、（ａ）は（ｂ）の側面説明図、（ｂ）は異なる角度からみた（ａ）と対比するための斜視説明図で図２２の（ｂ）と同じ図。